(57)【要約】リアルタイムで撮像して表示する電子撮像系は、コントローラ、表示装置及び鏡像モジュールを含み、コントローラは、撮影レンズが有する画像信号をキャプチャし、送信ユニットによりキャプチャした画像信号をリアルタイムで送出する。表示装置は、受信ユニットにより、送信ユニットから発信された信号を受信するとともに、受信した画像を表示ユニットによりリアルタイムで表示する。鏡像モジュールは、上述した撮影レンズがキャプチャした画像信号を鏡像処理し、表示装置で表示する。【選択図】なし
2013526805.tif 000002
【特許請求の範囲】
【請求項１】
撮像レンズ及び送信ユニットを有し、前記撮像レンズを用いて画像信号をキャプチャし、前記キャプチャした画像信号を前記送信ユニットを用いてリアルタイムで送出するコントローラと、
受信ユニット及び表示ユニットを有し、前記受信ユニットは、前記送信ユニットから送出された信号を受信し、前記表示ユニットにより受信した画像をリアルタイムで表示する表示装置と、
前記撮像レンズがキャプチャした前記画像信号を鏡像処理した後、前記表示装置により表示する鏡像モジュールと、を含むことを特徴とする、
リアルタイムで撮像して表示する電子撮像系。
【請求項２】
前記送信ユニット及び受信ユニットが用いる無線方式により、画像信号を送信することを特徴とする、請求項１に記載のリアルタイムで撮像して表示する電子撮像系。
【請求項３】
前記送信ユニット及び前記受信ユニットが用いる有線方式により、画像信号を送信することを特徴とする、請求項１に記載のリアルタイムで撮像して表示する電子撮像系。
【請求項４】
前記コントローラ中に有する制御ユニットにより、前記撮像レンズ及び前記鏡像モジュールの機能を制御することを特徴とする、請求項１に記載のリアルタイムで撮像して表示する電子撮像系。
【請求項５】
前記コントローラ中の前記制御ユニットは、押しボタン、回転ノブ又はレバーであることを特徴とする、請求項４に記載のリアルタイムで撮像して表示する電子撮像系。
【請求項６】
前記鏡像モジュールは、前記コントローラに取り付けられることを特徴とする、請求項１に記載のリアルタイムで撮像して表示する電子撮像系。
【請求項７】
前記鏡像モジュールは、前記表示装置に取り付けられることを特徴とする、請求項１に記載のリアルタイムで撮像して表示する電子撮像系。
【請求項８】
前記鏡像モジュールは、ハードウェアを用いて鏡像を制御することを特徴とする、請求項１に記載のリアルタイムで撮像して表示する電子撮像系。
【請求項９】
前記鏡像モジュールは、ソフトウェアを用いて鏡像を制御することを特徴とする、請求項１に記載のリアルタイムで撮像して表示する電子撮像系。
【発明の詳細な説明】
【技術分野】
【０００１】
本発明は、電子撮像系に関し、特に、リアルタイムで撮像して表示する電子撮像系に関する。
【背景技術】
【０００２】
科学技術の発展に伴い、電子撮像技術が急速に発達し、価格が徐々に下がっている。そのため、例えば、撮影装置、表示装置などの各種電子撮像機材が様々な面において応用され、躍動感あふれる動的画像は人々の生活に素晴らしい経験を提供している。
【０００３】
電子撮像技術の応用において、リアルタイムで撮像して表示する方式はとても重要である。ユーザは日常生活又は仕事において、動的画像を随時記録し、データを送信して表示装置に画像を投射させる。ユーザ又は他人は、リアルタイムでユーザの状態を知り得たり伝えたいメッセージを得たりしてリアルタイムで処理する。
【０００４】
例えば、撮像装置と表示装置とを組み合わせると、ユーザの容姿をリアルタイムで撮像して表示することができる。そのため、ユーザは、表示装置を介して自らの画像をリアルタイムで見ることができる。このような方法により、ユーザは自らの容姿及び服装を知り、服装を整えて良いイメージを都合よく保つことができる。
【０００５】
例えば、運転手は、自動車をバックさせる際、観察が容易でない車両後方を見ることができる。
【０００６】
前述の方法は、新しい概念ではなく、科学技術の進歩を組み合わせるだけで、各個人が作業を行う際、新しい方式及び体験をすることができる。電子機器の値段が安くなるに従い、多くの建物の壁面、室内、輸送車両、エレベータなどに、寸法、数などが異なる表示装置が設置される。撮影機材の小型化に伴い、個々人が携帯する撮影装置は広く普及している。もし十分に利用できる場合、生活の利便性を高めることができる。
【０００７】
前述の装置の応用では、使用上の利便性を考慮する必要がある。一般に見かけるリアルタイムモニタの応用では、自在に移動させることができない。一般に手で持つ撮影機材は、その操作が非常に複雑であり、前述の応用には適していない。
また一般の撮像装置及び表示装置は、それぞれ異なる製品に属し、システム整合上、互換性に問題があった。特に、服装を整える際、レンズで撮影された画像が実際のものと反対になり、もし鏡像方式により表示する画像を現実の物と同じにすることができる場合、使用上の利便性を高めることができる。
【０００８】
このことから分かるように、上述の技術には多くの欠点があり、改善が求められていた。
【発明の概要】
【発明が解決しようとする課題】
【０００９】
本発明の主な目的は、統合式の表示システムを提供し、服装を整えるためなどに便利に応用し、コントローラ及び表示スクリーンの付加価値を高めるリアルタイムで撮像して表示する電子撮像系を提供することにある。
本発明のもう一つの目的は、設置が容易で、普及し易く、例えば、家の居間、輸送車両、更にはエレベータの中など表示スクリーンが必要などんな場所でも、コントローラの撮影レンズを介してキャプチャした画像を、接続された表示スクリーンでリアルタイムで表示し、使用上互換性の問題がなく、リアルタイムで撮像して表示する電子撮像系を提供することにある。
本発明のさらにもう一つの目的は、制御方式により鏡像処理を行い、ユーザにとって最も適した使用方式を利用するリアルタイムで撮像して表示する電子撮像系を提供することにある。
【課題を解決するための手段】
【００１０】
上述の目的を達成するために、リアルタイムで撮像して表示する電子撮像系は、主に、コントローラ、表示装置及び鏡像モジュールを含む。コントローラは、ひとつの撮影レンズ及び送信ユニットを有し、撮影レンズにより画像信号をキャプチャし、送信ユニットによりキャプチャした画像信号をリアルタイムで送出する。表示装置は、受信ユニット及び表示ユニットを有する。受信ユニットは、コントローラの送信ユニットから発信された信号を受信するとともに、受信した画像を表示ユニットによりリアルタイムで表示する。鏡像モジュールは、上述した撮影レンズがキャプチャした画像信号を鏡像処理し、表示装置で表示する。
【００１１】
前述の送信ユニット及び受信ユニットは、無線方式を用いて画像信号を送信したり、有線方式を用いて画像信号を送信したりすることができる。鏡像モジュールは、コントローラ又は表示装置内に取り付け、その動作原理は、ハードウェア又はソフトウェアを用いて行ってもよい。
【００１２】
前述のコントローラ中に有する制御ユニットを用い、撮影レンズ及び鏡像モジュールの機能を制御し、コントローラ中の制御ユニットは、押しボタン、回転ノブ又はレバーでもよい。
【００１３】
本発明は、以下（１）及び（２）の長所を有する。
（１）左右が反転した鏡像を表示装置で表示し、ユーザにとって最も適した方式を提供し、服装を整えるためなどに応用することができる。
（２）例えば、家の居間、輸送車両、更にはエレベータの中など、表示スクリーンが必要などんな場所へも容易に設置して普及し易く、コントローラの撮影レンズを介してキャプチャした画像を接続した表示スクリーンでリアルタイムで表示し、使用する際、互換性の問題がなく、リアルタイムで撮像して表示する電子撮像系を提供することにある。
【００１４】
以下、明細書に添付した図面と併せて具体的な実施方式により本発明を詳細に説明する。
【図面の簡単な説明】
【００１５】
【図１】本発明の構造ブロック図である。
【図２】本発明の構造変形例のブロック図である。
【図３】本発明の正面撮影の実施例図である。
【図４】本発明の正面撮影した画面を示す図である。
【図５】本発明の正面撮影した鏡像を示す図である。
【図６】本発明の側面撮影した画面を示す図である。
【図７】ユーザの後方画像を示す図である。
【発明を実施するための形態】
【００１６】
図１、図２は、本発明のリアルタイムで撮像して表示する電子撮像系を示し、主に、コントローラ１、表示装置２及び鏡像モジュール３を含む。
【００１７】
コントローラ１は、撮像レンズ１１及び送信ユニット１２を有し、撮像レンズ１１を用いて画像信号をキャプチャして撮像を完了し、送信ユニット１２を介してキャプチャした画像信号をリアルタイムで送出する。
【００１８】
表示装置２は、受信ユニット２１及び表示ユニット２２を有する。受信ユニット２１は、コントローラ１の送信ユニット１２が送出した信号を受信し、受信した画像を表示ユニット２２においてリアルタイムで表示する。
【００１９】
鏡像モジュール３は、上述の撮像レンズ１１がキャプチャした画像信号を鏡像処理した後、表示装置２で表示する。
【００２０】
図１に示すように、送信ユニット１２及び受信ユニット２１は、無線方式により画像信号を送信し、いわゆる無線方式とは、赤外線か、或いは無線電波のＷｉ−Ｆｉ（登録商標）、Ｂｌｕｅｔｏｏｔｈ（登録商標）、変調周波数、マイクロ波など、データ伝送機能を有する無線伝送方式である。
送出方式は、送信ユニット１２と受信ユニット２１との間にアンテナ１３，２３を設置し、アンテナ１３，２３をコントローラ１又は表示装置２に内設し、コントローラ１又は表示装置２の外部まで延ばす。このような技術は、市場における成熟度が高い製品であるため、ここでは詳しく述べない。
【００２１】
図２に示すように、送信ユニット１２と受信ユニット２１とは、一般によく見かけるシリアルポート、パラレルポート、ネットワーク回線などの信号ラインである有線方式を用いて画像信号を送信する。同様に、この有線技術は、市場における成熟度が高い製品であるため、ここでは詳しく述べない。
【００２２】
鏡像モジュール３は、コントローラ１又は表示装置２内に取り付けてもよい。その動作原理は、回路配置などのハードウェア方式でもよいし、プログラムにより制御するソフトウェア方式により鏡像処理を制御したりしてもよい。
【００２３】
図３〜図５に示すように、本発明は鏡像機能を有する。
ユーザ４は、本発明の地点（例えば、テレビの前）で服装を整える際、まず、携帯しているコントローラ１により表示装置２と通信した後、コントローラ１の撮像レンズ１１を顔に向け、撮影した後に表示装置２へ送信する。ユーザ４は表示装置２を見るだけで服装を整え始めることができるとともに、撮像レンズ１１の位置を随時調整して他の部分を見て服装を完全に整えることができる。
顔を撮影する際、表示装置２に鏡像でない画像が映されると、ユーザ４は一時的に適応することができず、服装を効果的に整えることができない。そのため、本発明は鏡像モジュール３を介して表示装置２に左右反転した鏡像を表示することができ、服装を便利に整えることができる。
【００２４】
撮像レンズ１１と鏡像モジュール３との制御を組み合わせ、コントローラ１上に制御ユニット１４，１５を設置する。制御ユニット１４，１５は、押しボタン、回転ノブ又はレバーでもよい。図４に示すように、まず、ユーザ４は、撮像レンズ１１の制御ユニット１４を操作し、撮像を開始する。図５に示すように、表示装置２により画像を表示した後、鏡像を随時操作することができる制御ユニット１５により、鏡像モジュール３の左右の鏡像を随時切り替えることができる。
【００２５】
図６及び図７に示すように、顔以外に、ユーザ４は側面又は背面の画像を撮影することもできる。図示するように、このときの画像表示は実際の方向と同じであるため、ユーザ４は、服装を整える際不便に感じることがなく、鏡像モジュール３を操作する必要がない。即ち、鏡像モジュール３の使用は、ユーザ４の習慣により決めることができ、強制的に決められるわけではない。
【００２６】
以上は本発明の単なる具体的実施例であり、本発明の保護範囲を限定するわけではなく、本発明の構想を基礎として行う如何なる置換及び改善も全て本発明の保護範囲に属する。
【符号の説明】
【００２７】
１    コントローラ
２    表示装置
３    鏡像モジュール
４    ユーザ
１１  撮像レンズ
１２  送信ユニット
１３  アンテナ
１４  制御ユニット
１５  制御ユニット
２１  受信ユニット
２２  表示ユニット
２３  アンテナ
【図１】
2013526805.tif 000003
【図２】
2013526805.tif 000004
【図３】
2013526805.tif 000005
【図４】
2013526805.tif 000006
【図５】
2013526805.tif 000007
【図６】
2013526805.tif 000008
【図７】
2013526805.tif 000009
【国際調査報告】
2013526805.tif 000010
2013526805.tif 000011
2013526805.tif 000012
2013526805.tif 000013
2013526805.tif 000014
2013526805.tif 000015